(57)【特許請求の範囲】
【請求項１】
電池と、
商用電源及び前記電池と接続され、該商用電源から電力が供給されているときは、該商用電源から供給される電力に基づく第１電力を出力し、該商用電源からの電力供給が停止しているときには、前記電池から供給される電力に基づく第２電力を出力する電源回路と、
前記電源回路から供給される電力により作動し、給水管から供給される水を加熱して給湯管に供給する給湯ユニットと、
前記電源回路から供給される電力により作動し、浴槽内の湯水を、該浴槽に連通した風呂循環回路を介して風呂ポンプにより循環させて加熱する追焚きユニットと、
前記電源回路から出力される電力により作動し、前記第１電力により作動しているときは、前記第１電力による前記給湯ユニット及び前記追焚きユニットの作動を許可し、前記第２電力により作動しているときには、前記追焚きユニットの作動を禁止して前記第２電力による前記給湯ユニットの作動を許可することにより、前記商用電源が停電中であるときの前記給湯ユニットによる給湯運転の実行可能時間を長くするコントローラと
を備えたことを特徴とする熱源装置。
【請求項２】
請求項１に記載の熱源装置において、
前記電源回路から供給される電力により作動し、温水暖房端末と連通した暖房循環回路内の熱媒を、暖房ポンプにより循環させて加熱する暖房ユニットを備え、
前記コントローラは、前記第１電力により作動しているときは、前記第１電力による前記暖房ユニットの運転を許可し、前記第２電力により作動しているときには、前記暖房ユニットの運転を禁止することを特徴とする熱源装置。
【請求項３】
請求項１又は請求項２に記載の熱源装置において、
前記商用電源の停電により前記追焚きユニットの作動が禁止されていることを報知する追焚き禁止報知部を備えたことを特徴とする熱源装置。
【請求項４】
請求項１から請求項３のうちいずれか１項に記載の熱源装置において、
前記給湯管と前記風呂循環回路とを連通した湯張り管と、
前記風呂循環回路に設けられて、前記風呂循環回路内の水流を検出する水流センサと、
前記風呂循環回路に設けられて、前記浴槽に貯まった湯水の水位を検出する水位センサとを備え、
前記コントローラは、前記第１電力により作動しているときは、前記第１電力により前記給湯ユニット及び前記追焚きユニットを作動させ、前記風呂ポンプが作動した状態で前記水流センサにより水流を検出することで前記浴槽内の湯水の有無を検知する処理を行って、前記水位センサにより前記浴槽内の湯の水位を確認しながら、前記給湯管から前記湯張り管及び前記風呂循環回路を介して前記浴槽に湯を供給することにより、前記浴槽に所定水位まで湯を張る第１湯張り運転を行ない、
前記第２電力により作動しているときには、前記第２電力により前記給湯ユニットを作動させ、前記風呂ポンプを作動させずに、前記給湯管から前記湯張り管及び前記風呂循環回路を介して、前記所定水位分の湯量に相当する所定量の湯を、前記浴槽に供給する第２湯張り運転を行なうことを特徴とする熱源装置。
【請求項５】
請求項１から請求項３のうちいずれか１項に記載の熱源装置において、
前記給湯管と前記風呂循環回路とを連通した湯張り管と、
前記風呂循環回路に設けられて、前記風呂循環回路内の水流を検出する水流センサとを備え、
前記コントローラは、前記第１電力により作動しているときは、前記第１電力を用いて前記給湯ユニット及び前記追焚きユニットを運転し、前記風呂ポンプを作動させて前記水流センサにより水流を検出することで、前記浴槽内の湯水の有無を検知する処理を行って、前記給湯管から前記湯張り管及び前記風呂循環回路を介して、前記浴槽に所定量の湯を張る第３湯張り運転を行ない、
前記第２電力により作動しているときには、前記第２電力を用いて前記給湯ユニットを運転することにより、前記風呂ポンプを作動させずに、前記給湯管から前記湯張り管及び前記風呂循環回路を介して前記浴槽に所定量の湯を供給する第２湯張り運転を行なうこと
を特徴とする熱源装置。
【請求項６】
電池と、
商用電源及び前記電池と接続され、該商用電源から電力が供給されているときは、該商用電源から供給される電力に基づく第１電力を出力し、該商用電源からの電力供給が停止しているときには、前記電池から供給される電力に基づく第２電力を出力する電源回路と、
前記電源回路から供給される電力により作動し、給水管から供給される水を加熱して給湯管に供給する給湯ユニットと、
前記電源回路から供給される電力により作動し、温水暖房端末と連通した暖房循環回路内の熱媒を、暖房ポンプにより循環させて加熱する暖房ユニットと、
前記電源回路から供給される電力により作動し、前記第１電力により作動しているときは、前記第１電力による前記給湯ユニット及び前記暖房ユニットの作動を許可し、前記第２電力により作動しているときには、前記暖房ユニットの作動を禁止して前記第２電力による前記給湯ユニットの作動を許可することにより、前記商用電源が停電中であるときの前記給湯ユニットによる給湯運転の実行可能時間を長くするコントローラと
を備えたことを特徴とする熱源装置。
【請求項７】
請求項２又は請求項６に記載の熱源装置において、
前記商用電源の停電により前記暖房ユニットの作動が禁止されていることを報知する暖房禁止報知部を備えたことを特徴とする熱源装置。
【発明の詳細な説明】
【技術分野】
【０００１】
本発明は、停電用のバックアップ電池を備えた熱源装置に関する。
【背景技術】
【０００２】
従来より、充電式の電池を組み込み、停電時に電池をバックアップ電源として利用することによって、停電時にも給湯と追焚きができるようにした熱源装置が提案されている（例えば、特許文献１参照）。
【先行技術文献】
【特許文献】
【０００３】
【特許文献１】実開平６−１４８５５号公報
【発明の概要】
【発明が解決しようとする課題】
【０００４】
停電時に電池から供給可能な電力は限られているため、熱源装置の運転態様によっては、短時間で電池が消耗して熱源装置による給湯が不能となることが生じ得る。
【０００５】
そこで、本発明は、停電時の給湯可能時間を長くすることができる熱源装置を提供することを目的とする。
【課題を解決するための手段】
【０００６】
本発明は上記目的を達成するためになされたものであり、電池と、商用電源及び前記電池と接続され、該商用電源から電力が供給されているときは、該商用電源から供給される電力に基づく第１電力を出力し、該商用電源からの電力供給が停止しているときには、前記電池から供給される電力に基づく第２電力を出力する電源回路と、前記電源回路から供給される電力により作動し、給水管から供給される水を加熱して給湯管に供給する給湯ユニットと、前記電源回路から供給される電力により作動し、浴槽内の湯水を、該浴槽に連通した風呂循環回路を介して風呂ポンプにより循環させて加熱する追焚きユニットと、前記電源回路から出力される電力により作動し、前記第１電力により作動しているときは、前記第１電力による前記給湯ユニット及び前記追焚きユニットの作動を許可し、前記第２電力により作動しているときには、前記追焚きユニットの作動を禁止して前記第２電力による前記給湯ユニットの作動を許可することにより、前記商用電源が停電中であるときの前記給湯ユニットによる給湯運転の実行可能時間を長くするコントローラとを備えたことを特徴とする（第１発明）。
【０００７】
第１発明によれば、停電により前記商用電源からの電力供給が停止して、前記電源回路から前記第２電力が供給される状況になったときに、前記コントローラは前記第２電力により作動して、前記第２電力による前記追焚きユニットの作動を禁止する。これにより、前記電池からの供給電力によって前記コントローラが作動しているときに、消費電力が大きい前記風呂ポンプが作動することを回避して、前記給湯ユニットによる給湯可能時間を長くすることができる。
【０００８】
また、第１発明において、前記電源回路から供給される電力により作動し、温水暖房端末と連通した暖房循環回路内の熱媒を、暖房ポンプにより循環させて加熱する暖房ユニットを備え、前記コントローラは、前記第１電力により作動しているときは、前記第１電力による前記暖房ユニットの運転を許可し、前記第２電力により作動しているときには、前記暖房ユニットの運転を禁止することを特徴とする（第２発明）。
【０００９】
第２発明によれば、停電により前記商用電源からの電力供給が停止して、前記電源回路から前記第２電力が供給される状況になったときに、前記コントローラは前記第２電力により作動して、前記第２電力による前記暖房ユニットの作動を禁止する。これにより、前記電池からの供給電力によって前記コントローラが作動しているときに、消費電力が大きい前記暖房ポンプが作動することを回避して、前記給湯ユニットによる給湯可能時間を長くすることができる。
【００１０】
また、第１発明又は第２発明において、前記商用電源の停電により前記追焚きユニットの作動が禁止されていることを報知する追焚き禁止報知部を備えたことを特徴とする（第３発明）。
【００１１】
第３発明によれば、前記商用電源の停電時に前記追焚きユニットの作動が禁止されることを、熱源装置の使用者に認識させることができる。そして、これにより、給湯はできるが追焚きができない状況を、使用者が熱源装置の故障と誤認することを防止することができる。
【００１２】
また、第１発明から第３発明のいずれかにおいて、前記給湯管と前記風呂循環回路とを連通した湯張り管と、前記風呂循環回路に設けられて、前記風呂循環回路内の水流を検出する水流センサと、前記風呂循環回路に設けられて、前記浴槽に貯まった湯水の水位を検出する水位センサとを備え、前記コントローラは、前記第１電力により作動しているときは、前記第１電力により前記給湯ユニット及び前記追焚きユニットを作動させ、前記風呂ポンプが作動した状態で前記水流センサにより水流を検出することで前記浴槽内の湯水の有無を検知する処理を行って、前記水位センサにより前記浴槽内の湯の水位を確認しながら、前記給湯管から前記湯張り管及び前記風呂循環回路を介して前記浴槽に湯を供給することにより、前記浴槽に所定水位まで湯を張る第１湯張り運転を行ない、前記第２電力により作動しているときには、前記第２電力により前記給湯ユニットを作動させ、前記風呂ポンプを作動させずに、前記給湯管から前記湯張り管及び前記風呂循環回路を介して、前記所定水位分の湯量に相当する所定量の湯を、前記浴槽に供給する第２湯張り運転を行なうことを特徴とする（第４発明）。
【００１３】
第４発明によれば、前記商用電源から電力が供給がされているときは、前記コントローラは、前記風呂ポンプの作動を伴う前記第１湯張り運転を行って、前記浴槽内に前記所定水位まで確実に湯を供給することができる。一方、前記商用電源が停電して前記電池から電力が供給されているときには、前記コントローラは、前記風呂ポンプを作動させずに、前記給湯ユニットにより前記浴槽に所定量の湯を供給する前記第２湯張り運転を行なう。これにより、湯張り時の消費電力を抑えて、前記給湯ユニットによる給湯可能時間を長くすることができる。
【００１４】
また、第１発明から第３発明のいずれかにおいて、前記給湯管と前記風呂循環回路とを連通した湯張り管と、前記風呂循環回路に設けられて、前記風呂循環回路内の水流を検出する水流センサとを備え、前記コントローラは、前記第１電力により作動しているときは、前記第１電力を用いて前記給湯ユニット及び前記追焚きユニットを運転し、前記風呂ポンプを作動させて前記水流センサにより水流を検出することで、前記浴槽内の湯水の有無を検知する処理を行って、前記給湯管から前記湯張り管及び前記風呂循環回路を介して、前記浴槽に所定量の湯を張る第３湯張り運転を行ない、前記第２電力により作動しているときには、前記第２電力を用いて前記給湯ユニットを運転することにより、前記風呂ポンプを作動させずに、前記給湯管から前記湯張り管及び前記風呂循環回路を介して前記浴槽に所定量の湯を供給する第２湯張り運転を行なうことを特徴とする（第５発明）。
【００１５】
第５発明によれば、前記商用電源から電力が供給がされているときは、前記コントローラは、前記風呂ポンプの作動を伴う前記第３湯張り運転を行って、湯張り開始時の前記浴槽内の残水を考慮して湯張りを行うことができる。一方、前記商用電源が停電して前記電池から電力が供給されているときには、前記コントローラは、前記風呂ポンプを作動させずに、前記給湯ユニットにより前記浴槽に所定量の湯を供給する前記第２湯張り運転を行なう。これにより、湯張り時の消費電力を抑えて、前記給湯ユニットによる給湯可能時間を長くすることができる。
【００１６】
次に、第６発明は、電池と、商用電源及び前記電池と接続され、該商用電源から電力が供給されているときは、該商用電源から供給される電力に基づく第１電力を出力し、該商用電源からの電力供給が停止しているときには、前記電池から供給される電力に基づく第２電力を出力する電源回路と、前記電源回路から供給される電力により作動し、給水管から供給される水を加熱して給湯管に供給する給湯ユニットと、前記電源回路から供給される電力により作動し、温水暖房端末と連通した暖房循環回路内の熱媒を、暖房ポンプにより循環させて加熱する暖房ユニットと、前記電源回路から供給される電力により作動し、前記第１電力により作動しているときは、前記第１電力による前記給湯ユニット及び前記暖房ユニットの作動を許可し、前記第２電力により作動しているときには、前記暖房ユニットの作動を禁止して前記第２電力による前記給湯ユニットの作動を許可することにより、前記商用電源が停電中であるときの前記給湯ユニットによる給湯運転の実行可能時間を長くするコントローラとを備えたことを特徴とする。
【００１７】
第６発明によれば、停電により前記商用電源からの電力供給が停止して、前記電源回路から前記第２電力が供給される状況になったときに、前記コントローラは前記第２電力により作動して、前記第２電力による前記暖房ユニットの作動を禁止する。これにより、前記電池からの供給電力によって前記コントローラが作動しているときに、消費電力が大きい前記暖房ポンプが作動することを回避して、前記給湯ユニットによる給湯可能時間を長くすることができる。
【００１８】
また、第２発明又は第６発明において、前記商用電源の停電により前記暖房ユニットの作動が禁止されていることを報知する暖房禁止報知部を備えたことを特徴とする（第７発明）。
【００１９】
第７発明によれば、前記商用電源の停電時に前記暖房ユニットの作動が禁止されることを、熱源装置の使用者に認識させることができる。そして、これにより、給湯はできるが暖房ができない状況を、使用者が熱源装置の故障と誤認することを防止することができる。
【図面の簡単な説明】
【００２０】
【図１】本発明の熱源装置の構成図。
【図２】図１に示した熱源装置の制御ブロック図。
【図３】水位センサを備えた構成での湯張り運転のフローチャート。
【図４】水位センサを備えない構成での湯張り運転のフローチャート。
【発明を実施するための形態】
【００２１】
本発明の実施形態について、図１〜図４を参照して説明する。
【００２２】
図１を参照して、本実施形態の熱源装置は、単一の缶体１内に、給湯用の第１燃焼部２−１と暖房及び追焚き用の第２燃焼部２−２とが仕切り壁１ａを隔てて並設された１缶式の複合型の熱源装置であり、コントローラ２０によって全体の作動が制御される。
【００２３】
コントローラ２０には、熱源装置を遠隔操作するためのリモコン２５が接続されている。リモコン２５には、後述する「湯張り運転」の実行を指示するための湯張りスイッチ２７、後述する「追焚き運転」の実行を指示するための追焚きスイッチ２８、熱源装置を運転状態と待機状態に切替えるための運転スイッチ２９、及び表示部２６等が備えられている。
【００２４】
第１燃焼部２−１は、給湯用の第１熱交換器３−１とこれを加熱する第１バーナ４−１とを有し、第２燃焼部２−２は、暖房及び追焚き用の第２熱交換器３−２とこれを加熱する第２バーナ４−２とを有している。第１燃焼部２−１と第２燃焼部２−２には共通の燃焼ファン５から燃焼用空気が供給される。
【００２５】
第１バーナ４−１の燃焼排気は、第１熱交換器３−１に導かれて第１熱交換器３−１で熱交換した後に、第１熱交換器３−１及び第２熱交換器３−２の上側の排気フード６に流れて排気フード６に形成された排気口６ａから外部に排出される。同様に、第２バーナ４−２の燃焼排気は、第２熱交換器３−２に導かれて第２熱交換器３−２で熱交換した後に、排気フード６に流れて排気口６ａから外部に排出される。なお、第１バーナ４−１及び第２バーナ４−２の燃焼量に対応した量の燃焼用空気が供給されるように、コントローラ２０により燃焼ファン５の回転数が制御される。
【００２６】
第１熱交換器３−１には、上流側の給水管８ａと下流側の給湯管８ｂとが接続されている。給水管８ａには、流量センサ８１とコントローラ２０により制御される流量調節弁８２とが設けられ、さらに、流量調節弁８２の下流側で給水管８ａと給湯管８ｂとを連通するバイパス管８ｃが設けられ、バイパス管８ｃにコントローラ２０により制御されるバイパス流量調節弁８３が設けられている。また、給湯管８ｂには、上流側の湯温センサ８４と、バイパス管８ｃとの合流箇所の下流側の湯温センサ８５とが設けられている。
【００２７】
流量センサ８１と湯温センサ８４，８５の検出信号はコントローラ２０に入力される。そして、コントローラ２０は、給湯管８ｂの下流端のカラン８６が開栓されて第１熱交換器３−１への通水が開始され、流量センサ８１の検出流量が所定の下限流量以上となったときに、燃焼ファン５を駆動すると共に、第１バーナ４−１に点火して「給湯運転」を実行する。
【００２８】
「給湯運転」に際して、コントローラ２０は、湯温センサ８５の検出温度がリモコン２５で設定された給湯温度となるように、第１バーナ４−１の燃焼量を制御すると共に、バイパス流量調節弁８３によりバイパス管８ｃの流水量（バイパスミキシング量）を制御する。
【００２９】
また、コントローラ２０は、第１バーナ４−１の燃焼量を最大にしても、湯温センサ８５の検出温度がリモコン２５で設定された給湯温度に達しないときは、流量調節弁８２により給水管８ａの通水量を減少させる。
【００３０】
なお、第１燃焼部２−１及び第１熱交換器３−１により、給水管８ｂに供給される水を加熱して給湯管８ｂに供給する構成が、本発明の給湯ユニットに相当する。
【００３１】
第２熱交換器３−２は、暖房循環回路９を介して要求湯温が比較的高い高温暖房端末である温水式の温風暖房機１０（本発明の温水暖房端末に相当する）に接続されている。暖房循環回路９は、第２熱交換器３−２で加熱された温水を温風暖房機１０に送出する暖房往き管９ａと、温風暖房機１０内を流通した温水を第２熱交換器３−２に戻す暖房戻り管９ｂとにより構成されている。
【００３２】
暖房戻り管９ｂには、シスターン９１と、コントローラ２０により制御される暖房ポンプ９２とが介設されている。そして、温風暖房機１０の運転スイッチ（図示しない）がＯＮ操作されたときに、コントローラ２０は、温風暖房機１０の通水弁１０ａを開弁すると共に、暖房ポンプ９２を駆動して、温風暖房機１０と第２熱交換器３−２との間で暖房循環回路９を介して湯水を循環させる「暖房運転」を実行する。
【００３３】
また、本実施形態では、要求湯温が比較的低い低温暖房端末である床暖房パネル１１（本発明の温水暖房端末に相当する）が備えられており、暖房ポンプ９２の下流側の暖房戻り管９ｂの部分から床暖房パネル１１に至る低温暖房往き管９ｃが分岐している。床暖房パネル１１内を流通した湯水は温風暖房機１０内を流通した湯水と合流してシスターン９１に戻る。
【００３４】
さらに、暖房循環回路９にはバイパス管９ｄが設けられている。床暖房パネル１１の運転スイッチ（図示しない）がＯＮ操作されると、コントローラ２０は、床暖房パネル１１の通水弁１１ａを開弁すると共に、暖房ポンプ９２を駆動して「暖房運転」を実行する。これにより、バイパス管９ｄを経由して第２熱交換器３−２に湯水が循環されると共に、暖房ポンプ９２から送出される湯水の一部が床暖房パネル１１に供給され、第２熱交換器３−２からの熱がシスターン９１を介して床暖房パネル１１に伝達される。
【００３５】
暖房往き管９ａの上流部には、第２熱交換器３−２から送出される湯水の温度を検出する湯温センサ９３が設けられており、湯温センサ９３の検出信号がコントローラ２０に入力される。そして、コントローラ２０は、温風暖房機１０や床暖房パネル１１の運転スイッチ（図示しない）がＯＮ操作されて「暖房運転」を行なう際に、湯温センサ９３で検出される暖房側出湯温度が温風暖房機１０や床暖房パネル１１の要求湯温となるように、第２バーナ４−２の燃焼量を制御する。なお、温風暖房機１０の要求湯温は比較的高温（例えば８０℃）であり、床暖房パネル１１の要求湯温は比較的低温（例えば６０℃）である。
【００３６】
なお、暖房ポンプ９２により暖房循環回路９内の温水（本発明の熱媒に相当する）を循環させて、第２燃焼部２−２及び第２熱交換器３−２により加熱する構成が、本発明の暖房ユニットに相当する。
【００３７】
また、第２熱交換器３−２は、風呂の追焚きを行なう際の熱源としても機能する。浴槽１２に接続された風呂循環回路１３（風呂往き管１３ａと風呂戻り管１３ｂにより構成される）には、コントローラ２０により制御される風呂ポンプ１３１と液々熱交換器１３２とが介設されている。また、暖房循環回路９には、暖房往き管９ａから液々熱交換器１３２を経由してシスターン９１に至る追焚き管９ｅが設けられている。
【００３８】
そして、リモコン２５に備えられた追焚きスイッチ２８がＯＮ操作されると、コントローラ２０は、風呂ポンプ１３１を駆動して風呂循環回路１３に浴槽１２内の湯水を循環させると共に暖房ポンプ９２を駆動し、第２バーナ４−２に点火して「追焚き運転」を実行する。「追焚き運転」においては、第２熱交換器３−２で加熱された温水が液々熱交換器１３２を経由して暖房循環回路９を循環し、風呂循環回路１３を循環する浴槽１２の湯水が液々熱交換器１３２で加熱される。
【００３９】
風呂循環回路１３と液々熱交換器１３２との接続箇所の付近には、戻り側に戻り温度センサ１４１（検出温度Ｔin）が設けられ、往き側に往き温度センサ１４０（検出温度Ｔout）が設けられている。また、風呂循環回路１３には、風呂循環回路１３内を湯水が循環していることを検出する風呂水流スイッチ１４２が設けられている。そして、戻り温度センサ１４１と往き温度センサ１４０と風呂流水スイッチ１４２の検出信号がコントローラ２０に入力される。コントローラ２０は、戻り温度センサ１４１の検出温度がリモコン２５で設定された追焚き温度まで上昇したときに「追焚き運転」を終了する。
【００４０】
なお、浴槽１２内の湯水を風呂ポンプ１３１により風呂循環回路１３を介して循環させて、液々熱交換器１３２により加熱する構成が、本発明の追焚きユニットに相当する。
【００４１】
また、風呂循環回路１３には、給湯管８ｂから分岐した湯張り管１３５が逆止弁１３６を介してＸで接続されている。湯張り管１３５には、コントローラ２０により制御される湯張り開閉弁１３７が介設されている。コントローラ２０は、リモコン２５に備えられた湯張りスイッチ２８がＯＮ操作されたときに、湯張り開閉弁１３７を開弁して、第１熱交換器３−１で加熱された湯を湯張り管１３５を経由して、リモコン２５で設定された湯張りレベル（湯張り設定水位）まで浴槽１２に供給する「湯張り運転」を実行する。
【００４２】
次に、第１バーナ４−１及び第２バーナ４−２に対して、燃料ガスを供給するための構成について説明する。第１バーナ４−１と第２バーナ４−２に対する共通のガス供給路４０には、元弁４１と比例弁４２とが介設されている。そして、ガス供給路４０から第１バーナ４−１の能力切換弁４３Ｓ，４３Ｍ，４３Ｌを介して第１バーナ４−１に燃料ガスが供給され、また、ガス供給路４０から第２バーナ４−２の能力切換弁４４Ｓ，４４Ｌを介して第２バーナ４−２に燃料ガスが供給される。
【００４３】
ここで、第１バーナ４−１は、１６個の単位バーナ４ａで構成され、能力切換弁４３Ｓに接続された第１単位バーナ群４−１Ｓは３個の単位バーナ４ａを備え、能力切換弁４３Ｍに接続された第２単位バーナ群４−１Ｍは５個の単位バーナ４ａを備え、能力切換弁４３Ｌに接続された第３単位バーナ群４−１Ｌは８個の単位バーナ４ａを備えている。そして、コントローラ２０は、能力切換弁４３Ｓ，４３Ｍ，４３Ｌの開閉を切換えて第１バーナ４−１の燃焼量を制御する。
【００４４】
また、第２バーナ４−２は、５個の単位バーナ４ａで構成され、能力切換弁４４Ｓに接続された第１単位バーナ群４−２Ｓは２個の単位バーナ４ａを備え、能力切換弁４４Ｌに接続された第２単位バーナ群４−２Ｌは３個の単位バーナ４ａを備えている。そして、コントローラ２０は、能力切換弁４４Ｓ，４４Ｌの開閉を切換えて第２のバーナの燃焼量を制御する。
【００４５】
次に、図２を参照して、コントローラ２０は、ＣＰＵ２１、メモリ２２、入出力インターフェース（図示しない）等を備えた電子回路ユニットであり、メモリ２２に保持された熱源装置の制御用プログラムをＣＰＵ２１に実行させることによって、コントローラ２０は、上述した「給湯運転」、「湯張り運転」、「追焚き運転」、及び「暖房運転」を実行する機能を果す。
【００４６】
熱源装置は、コントローラ２０に作動用電力を供給する電源回路３０を備えている。電源回路３０は商用電源３４及び電池３５と接続され、商用電源３４から供給される交流電力を直流電力に変換する整流回路３１と、選択回路３２と、商用電源３４の停電を検知する停電検知回路３３とを備えている。
【００４７】
選択回路３２は、整流回路３１から電力が供給されているときは、整流回路３１からの電力Ｐ１をコントローラ２０に供給する。また、商用電源３４の停電により、整流回路３１からの電力供給が停止しているときには、選択回路３２は、電池３５からの電力Ｐ２をコントローラ２０に供給する。
【００４８】
電池３５は蓄電池（２次電池）であり、交流電源３４から供給される電力により充電される。なお、電池３５に１次電池を用いてもよい。停電検知回路３３は、商用電源３４の停電を検知しているときに、停電検知信号をコントローラ２０に出力する。コントローラ２０は、この停電検知信号の受信により商用電源３４の停電を認識する。
【００４９】
コントローラ２０は、電源回路３０から供給される電力を、リモコン２５、暖房ポンプ９２、風呂ポンプ１３１、及び他のアクチュエータに供給して、これらの作動を制御する。
【００５０】
コントローラ２０は、商用電源３４が停電しておらず、電源回路３０から供給される電力Ｐ１（整流回路３１からの電力）により作動しているときは、「給湯運転」、「湯張り運転」、「追焚き運転」、「暖房運転」を、特に制限なく実行する。
【００５１】
一方、商用電源３４が停電中で、電源回路３０から供給される電力Ｐ２（電池３５からの電力）により作動しているときには、コントローラ２０は、「給湯運転」と「湯張り運転」のみを許可し、「追焚き運転」と「暖房運転」を禁止する。
【００５２】
「追焚き運転」を禁止することにより、消費電力が多い風呂ポンプ１３１及び暖房ポンプ９２の作動によって電池３５の消耗が進むことを回避することができる。また、「暖房運転」を禁止することにより、消費電力が多い暖房ポンプ９２の作動によって電池３５の消耗が進むことを回避することができる。
【００５３】
このように、コントローラ２０は、商用電源３４の停電によって電源回路３０から供給される電力Ｐ２（電池３５からの電力）により作動しているときに、「追焚き運転」と「暖房運転」を禁止することによって、商用電源３４が停電中であるときの「給湯運転」の実行可能時間が長くなるようにしている。
【００５４】
さらに、コントローラ２０は、商用電源３４から電力が供給されているときと、商用電源が停電しているときとで、「湯張り運転」の仕様を変更することによって、停電中の浴槽１２への湯張りを可能としつつ、電池３５の消耗を抑えている。以下、図３に示したフローチャートに従って、「湯張り運転」の第１実施形態について説明する。
【００５５】
［第１実施形態］
コントローラ２０は、リモコン２５の湯張りスイッチ２７がＯＮ操作されたときに図３のフローチャートによる処理を開始し、ＳＴＥＰ１で、停電検知回路３３から出力される停電検知信号の有無により商用電源３４が停電中であるか否かを判断する。
【００５６】
商用電源３４が停電中でないときはＳＴＥＰ２に進み、コントローラ２０は、風呂ポンプ１３１を適宜作動させて、水位センサ１４３により浴槽１２内の水位を検出しつつ、リモコン２５により設定された湯張り設定水位（本発明の所定水位に相当する）まで湯を張る処理（本発明の第１湯張り運転に相当する）を実行する。
【００５７】
コントローラ２０は、ＳＴＥＰ２で６リットルの湯を浴槽１２に供給し、次のＳＴＥＰ３で、風呂ポンプ１３１を作動させて風呂水流センサ１３８により水流が検出されるか否かを判断する。水流が検出されたときは、浴槽１２内にバスアダプター１４の水位以上の湯が貯まっていて、水位センサ１４３による水位の検出が可能な状態であると判定することができる。そのため、この場合は続くＳＴＥＰ４からＳＴＥＰ８に分岐する。
【００５８】
ＳＴＥＰ８で、コントローラ２０は、水位センサ１４３により検出した浴槽１２内の湯水の現在の水位が、湯張り設定水位以上であるか否かを判断する。そして、浴槽１２内の湯水の現在の水位が湯張り設定水位以上であるときは、ＳＴＥＰ９に進み、コントローラ２０は、戻り温度センサ１４１により検出した浴槽１２内の湯水の温度が、リモコン２５により設定された湯張り設定温度を越えているか否かを判断する。
【００５９】
浴槽１２内の湯水の温度が湯張り設定温度以上であるときはＳＴＥＰ１０に進み、コントローラ２０は「湯張り運転」を終了する。一方、浴槽１２内の湯水の温度が湯張り設定温度よりも低いときにはＳＴＥＰ６０に分岐し、コントローラ２０は、「追焚き運転」と同様に、第２バーナ２−２を燃焼させると共に、風呂ポンプ１３１と暖房ポンプ９２を作動させて、浴槽１２内の湯水を湯張り設定温度まで加熱する（沸き上げる）。そして、ＳＴＥＰ１０に進み、コントローラ２０は「湯張り運転」を終了する。
【００６０】
また、ＳＴＥＰ８で、浴槽１２内の湯水の水位が湯張り設定水位未満であるときにはＳＴＥＰ４０に分岐する。ＳＴＥＰ８で、コントローラ２０は、浴槽１２内の湯水の湯張り設定水位までの不足量が５リットル以上であるか否かを判断する。そして、不足量が５リットル未満であるときはＳＴＥＰ９に進み、不足量が５リットル以上であるときにはＳＴＥＰ５０に分岐して、不足量分の湯を供給してＳＴＥＰ９に進む。
【００６１】
また、ＳＴＥＰ３で水流が検知されなかったとき（浴槽１２内にバスアダプター１４の水位以上の湯水が貯まっていないとき）は、次のＳＴＥＰ４からＳＴＥＰ５に進み、コントローラ２０は、１０リットルの湯を浴槽１２に供給する。続くＳＴＥＰ６で、コントローラ２０は、風呂ポンプ１３１を作動させて風呂水流センサ１３８により水流が検出されるか否かを判断する。
【００６２】
水流が検出されたときは、次のＳＴＥＰ７からＳＴＥＰ８に進み、コントローラ２０は、上述したＳＴＥＰ８以降の処理を実行する。また、水流が検出されなかったときには、ＳＴＥＰ３０に進み、コントローラ２０は、ＳＴＥＰ２及びＳＴＥＰ５での給湯合計量が、４０リットルを超えているか否かを判断する。
【００６３】
そして、給湯合計量が４０リットルを越えているときは、浴槽１２の排水栓（図示しない）が外れていて、湯張りができない状況になっていると判断できる。そのため、ＳＴＥＰ３１に進み、コントローラ２０は、リモコン２５の表示部２６にエラー表示を行って、「湯張り運転」を中止する。また、湯張り合計量が４０リットル以下であるときには、ＳＴＥＰ５に戻り、コントローラ２０は、さらに１０リットルの湯を浴槽１２に供給する処理を繰り返す。
【００６４】
次に、ＳＴＥＰ１で、商用電源３４が停電中であったときにはＳＴＥＰ２０に分岐する。そして、コントローラ２０は、風呂ポンプ１３１を作動させずに、浴槽１２に湯張り設定湯量の湯を供給する処理（本発明の第２湯張り運転に相当する）を行う。
【００６５】
すなわち、コントローラ２０は、ＳＴＥＰ２０で、「湯張り運転」の湯張り設定水位を湯張り設定水量に変換し、続くＳＴＥＰ２１で、湯張り開閉弁１３７を開弁すると共に、湯張り設定温度を目標給湯温度とする「給湯運転」を行なって、浴槽１２に湯張り設定湯量分の湯を供給する。そして、ＳＴＥＰ２２に進んで、コントローラ２０は「湯張り運転」を終了する。なお、湯張り設定水位から湯張り設定水量への変換は、予め浴槽の横断面積のデータをメモリ２２に保持しておいて、この断面積に設定水位を乗じて算出してもよく、或いは、水位と水量の対応マップのデータをメモリ２２に保持しておいて、このマップにより行ってもよい。
【００６６】
ＳＴＥＰ２０〜ＳＴＥＰ２１の「湯張り運転」の処理では、消費電力が多い風呂ポンプ１３１と暖房ポンプ９２を作動させないので、電池３５の消耗を抑制して浴槽１２の湯張りを行うことができる。
【００６７】
［第２実施形態］
次に、図４に示したフローチャートに従って、「湯張り運転」の第２実施形態について説明する。上記第１実施形態は、水位センサ１４３を備えて、湯張り設定水位まで浴槽１２に湯を張ったが、第２実施形態では、湯張り設定湯量の湯を浴槽１２に供給して湯張りを行う。そのため、水位センサ１４３は不要である。
【００６８】
コントローラ２０は、リモコン２５の湯張りスイッチ２７がＯＮ操作されたときに図４のフローチャートによる処理を開始し、ＳＴＥＰ１００で、停電検知回路３３から出力される停電検知信号の有無により商用電源３４が停電中であるか否かを判断する。
【００６９】
商用電源３４が停電中でないときはＳＴＥＰ１０１に進み、コントローラ２０は、風呂ポンプ１３１を適宜作動させて、設定湯量の湯を張る処理（本発明の第３湯張り運転に相当する）を実行する。
【００７０】
コントローラ２０は、ＳＴＥＰ１０１で６リットルの湯を浴槽１２に供給し、次のＳＴＥＰ１０２で、風呂ポンプ１３１を作動させて風呂水流センサ１３８により水流が検出されるか否かを判断する。水流が検出されたときは、浴槽１２内にバスアダプター１４の水位以上の湯が貯まっていると判定することができる。そのため、この場合は続くＳＴＥＰ１０３からＳＴＥＰ１２０に分岐する。
【００７１】
ＳＴＥＰ１２０で、コントローラ２０は、戻り温度センサ１４１により検出される浴槽１２内の湯水の温度が、リモコン２５により設定された湯張り設定温度よりも低いか否かを判断する。そして、浴槽１２内の湯水の温度が設定温度以上であるときはＳＴＥＰ１３０に進み、コントローラ２０は「湯張り運転」を完了する。
【００７２】
一方、浴槽１２内の湯水の温度が設定温度よりも低いときにはＳＴＥＰ１２１に進み、コントローラ２０は、「追焚き運転」と同様に、第２バーナ２−２を燃焼させると共に、風呂ポンプ１３１と暖房ポンプ９２を作動させて、浴槽１２内の湯水を湯張り設定温度まで加熱する（沸き上げる）。そして、コントローラ２０は、沸き上げに要した時間から、浴槽１２内の湯水の量（残水量）を判定する。
【００７３】
続くＳＴＥＰ１２２で、コントローラ２０は、湯張り設定湯量に対する浴槽１２内の湯の不足量（＝湯張り設定湯量−残水量）が、５リットル以上であるか否かを判断する。そして、不足量が５リットル未満であるときはＳＴＥＰ１０７に進み、不足量が５リットル以上であるときにはＳＴＥＰ１４０に分して、コントローラ２０は不足量分の湯を浴槽１２に供給してＳＴＥＰ１０７に進む。
【００７４】
また、ＳＴＥＰ１０３で水流が検知されなかったときは、次のＳＴＥＰ１０３からＳＴＥＰ１０４に進み、コントローラ２０は、湯張り設定湯量分の湯を浴槽１２に供給する。そして、続くＳＴＥＰ１０５で、コントローラ２０は、風呂ポンプ１３１を作動させて風呂水流スイッチ１３８により水流が検出されるか否かを判断する。
【００７５】
水流が検出されたときは、ＳＴＥＰ１０７に進み、コントローラ２０は、戻り温度センサ１４１により検出した浴槽１２内の湯水の温度が湯張り設定温度よりも低いか否かを判断する。そして、浴槽１２内の湯水の温度が湯張り設定温度以上であるときはＳＴＥＰ１０８に進み、コントローラ２０は「湯張り運転」を終了する。
【００７６】
また、浴槽１２内の湯水の温度が湯張り設定温度よりも低いときにはＳＴＥＰ１６０に分岐し、コントローラ２０は、「追焚き運転」と同様に、第２バーナ２−２を燃焼させると共に、風呂ポンプ１３１と暖房ポンプ９２を作動させて、浴槽１２内の湯水を湯張り設定温度まで加熱する（沸き上げる）。そして、ＳＴＥＰ１０８に進み、コントローラ２０は「湯張り運転」を終了する。
【００７７】
また、ＳＴＥＰ１０６で、水流が検出されなかったときにはＳＴＥＰ１５０に分岐し、コントローラ２０は、浴槽１２に湯を２０リットル供給する。そして、続くＳＴＥＰ１５１で、コントローラ２０は、風呂ポンプ１３１を作動させて風呂水流センサ１３８により水流が検出されるか否かを判断する。
【００７８】
ＳＴＥＰ１５２で水流が検出されたときはＳＴＥＰ１０７に分岐し、コントローラ２０は上述したＳＴＥＰ１０７以降の処理を実行する。一方、ＳＴＥＰ１５２で水流が検出されなかったときには、浴槽１２の排水栓（図示しない）が外れていて、湯張りができない状況になっていると判断できる。そのため、この場合はＳＴＥＰ１５３に進み、コントローラ２０は、リモコン２５の表示部２６にエラー表示を行って、「湯張り運転」を中止する。
【００７９】
次に、ＳＴＥＰ１００で、商用電源３４が停電中であったときにはＳＴＥＰ１１０に分岐する。そして、コントローラ２０は、風呂ポンプ１３１を作動させずに、浴槽１２に湯張り設定湯量の湯を供給する処理（本発明の第２湯張り運転に相当する）を行う。
【００８０】
すなわち、コントローラ２０は、ＳＴＥＰ１１０で、湯張り開閉弁１３７を開弁すると共に、湯張り設定温度を目標給湯温度とする「給湯運転」を行なって、浴槽１２に設定湯量分の湯を供給する。そして、ＳＴＥＰ１１１に進み、コントローラ２０は「湯張り運転」を終了する。
【００８１】
ＳＴＥＰ１１０の「湯張り運転」の処理では、消費電力が多い風呂ポンプ１３１と暖房ポンプ９２を作動させないので、電池３５の消耗を抑制して浴槽１２への湯張りを行うことができる。
【００８２】
また、コントローラ２０は、停電検知信号の受信により、商用電源３４が停電中であって、電池３５からの電力により作動していることを認識したときに、リモコン２５の表示部２６に、「停電のため、追焚き（追焚きユニットの運転）と暖房（暖房ユニットの運転）が禁止されていること、及び湯張り運転の仕様が変更されていること」を報知する表示を行う。そして、この報知により、給湯はできるが追焚き及び暖房ができなくなっている状況、及び、湯張り運転の仕様変更により、湯張り運転完了時の浴槽内の湯の水位が停電が生じていないときから若干変動する状況を、使用者が熱源装置の故障と誤認することを防止している。
【００８３】
なお、このように、追焚きが禁止されていることを報知する構成が本発明の追焚き禁止報知部に相当し、また、暖房が禁止されていることを報知する構成が本発明の暖房禁止報知部に相当する。
【００８４】
なお、本実施形態では、ガスを燃料とする熱源装置を示したが、灯油等の他の燃料を用いる熱源装置に対しても本発明の適用が可能である。
【００８５】
また、本実施形態では、追焚きユニットと暖房ユニットを共に備えた熱源装置を示したが、追焚きユニットと暖房ユニットの少なくともいずれか一方を備えた熱源装置であれば、本発明の適用が可能である。
【００８６】
また、本実施形態では、コントローラ２０が電池３５からの電力によって作動しているときに、リモコン２５の表示部２６に、追焚き運転と暖房運転が禁止され、また、湯張り運転の仕様が変更されていることを報知する表示を行ったが、この報知を行なわない場合であっても、本発明の効果を得ることができる。
【符号の説明】
【００８７】
２−１…第１燃焼部、２−２…第２燃焼部、３−１…第１熱交換器、３−２…第２熱交換器、４−１…第１バーナ、４−２…第２バーナ、８ａ…給水管、８ｂ…給湯管、９…暖房循環回路、１０…温風暖房機、１１…床暖房パネル、１３…風呂循環回路、２０…コントローラ、２１…ＣＰＵ、２２…メモリ、２５…リモコン、３０…電源回路、３４…商用電源、３５…電池、９２…暖房ポンプ、１３１…風呂ポンプ。
【図１】
0005638480.tif 000002
【図２】
0005638480.tif 000003
【図３】
0005638480.tif 000004
【図４】
0005638480.tif 000005